(57)【特許請求の範囲】
【請求項１】
第１および第２の空間レイヤのリソース要素（ＲＥ）を介して少なくとも第１および第２の無線送信／受信ユニット（ＷＴＲＵ）へのマルチユーザ多入力多出力（ＭＵ−ＭＩＭＯ）ダウンリンク送信のための、ｅノードＢによって実行される方法であって、
（１）前記ＲＥの第１のセットを、第１のリソースとして、前記第１のＷＴＲＵの前記第１の空間レイヤに、および（２）前記ＲＥの第２のセットを、第２のリソースとして、前記第２のＷＴＲＵの前記第２の空間レイヤに割り当てることと、
（１）前記第１のリソースのサブセットの上で前記第１のＷＴＲＵに関連付けられた第１のＷＴＲＵ固有の参照信号（ＲＳ）を、および（２）前記第２のリソースのサブセットの上で前記第２のＷＴＲＵに関連付けられた第２のＷＴＲＵ固有のＲＳを符号化することと、
（１）前記第２のＷＴＲＵ固有のＲＳに使用される前記第２のリソースのサブセットに重なる前記第１のリソースの割り当てられたＲＥを、および（２）前記第１のＷＴＲＵ固有のＲＳに使用される前記第１のリソースのサブセットに重なる前記第２のリソースの割り当てられたＲＥを、前記ｅノードＢによって、ミュートすることと
を含むダウンリンクチャネルを生成することと、
前記ｅノードＢによって、前記ダウンリンクチャネルを送信することと
を備える方法。
【請求項２】
所与の空間レイヤ上のミュートされたＲＥは、前記所与の空間レイヤ上でデータが送信されないＲＥに相当する、請求項１の方法。
【請求項３】
４つのアンテナポートは、８つの空間レイヤまでサポートするために使用される、請求項１の方法。
【請求項４】
前記第１のＷＴＲＵおよび前記第２のＷＴＲＵは、空間相関に基づいて前記ダウンリンクチャネルに対してペアにされる、請求項１の方法。
【請求項５】
前記第１のＷＴＲＵに割り当てられる帯域幅は、前記第２のＷＴＲＵに割り当てられる帯域幅とは異なる、請求項１の方法。
【請求項６】
前記ダウンリンクチャネルに対してペアにされる複数のＷＴＲＵ間の最大帯域幅情報を送信することをさらに備える、請求項１の方法。
【請求項７】
前記第２のＷＴＲＵに割り当てられる帯域幅が異なるという条件で、スクランブリングシーケンスを前記第１のＷＴＲＵ固有のＲＳに適用するのを防ぐことをさらに備える、請求項５の方法。
【請求項８】
少なくとも１つのＷＴＲＵ固有のＲＳは、少なくとも１つのダウンリンクチャネルに相当する、請求項１の方法。
【請求項９】
前記ＲＥは、リソースブロックに割り当てられる、請求項１の方法。
【請求項１０】
前記リソースブロックは、少なくとも前記第１のＷＴＲＵ固有のＲＳおよび前記第２のＷＴＲＵ固有のＲＳを含む、請求項９の方法。
【請求項１１】
第１および第２の空間レイヤのリソース要素（ＲＥ）を介して少なくとも第１および第２の無線送信／受信ユニット（ＷＴＲＵ）へのマルチユーザ多入力多出力（ＭＵ−ＭＩＭＯ）ダウンリンク送信のためのｅノードＢであって、前記ｅノードＢは、
送信機に接続されるプロセッサであって、前記プロセッサは、
（１）前記ＲＥの第１のセットを、第１のリソースとして、前記第１のＷＴＲＵの前記第１の空間レイヤに、および（２）前記ＲＥの第２のセットを、第２のリソースとして、前記第２のＷＴＲＵの前記第２の空間レイヤに割り当てることと、
（１）前記第１のリソースのサブセットの上で前記第１のＷＴＲＵに関連付けられた第１のＷＴＲＵ固有の参照信号（ＲＳ）を、および（２）前記第２のリソースのサブセットの上で前記第２のＷＴＲＵに関連付けられた第２のＷＴＲＵ固有のＲＳを符号化することと、
（１）前記第２のＷＴＲＵ固有のＲＳに使用される前記第２のリソースのサブセットに重なる前記第１のリソースの割り当てられたＲＥを、および（２）前記第１のＷＴＲＵ固有のＲＳに使用される前記第１のリソースのサブセットに重なる前記第２のリソースの割り当てられたＲＥをミュートすることと
を含むダウンリンクチャネルを生成するように構成される、プロセッサと、
前記ダウンリンクチャネルを送信するように構成された前記送信機と
を備えたｅノードＢ。
【請求項１２】
所与の空間レイヤ上のミュートされたＲＥは、前記所与の空間レイヤ上でデータが送信されないＲＥに相当する、請求項１１のｅノードＢ。
【請求項１３】
４つのアンテナポートは、８つの空間レイヤまでサポートするために使用される、請求項１１のｅノードＢ。
【請求項１４】
前記第１のＷＴＲＵおよび前記第２のＷＴＲＵは、空間相関に基づいて前記ダウンリンクチャネルに対してペアにされる、請求項１１のｅノードＢ。
【請求項１５】
前記第１のＷＴＲＵに割り当てられる帯域幅は、前記第２のＷＴＲＵに割り当てられる帯域幅とは異なる、請求項１１のｅノードＢ。
【請求項１６】
前記送信機は、前記ダウンリンクチャネルに対してペアにされる複数のＷＴＲＵ間の最大帯域幅情報を送信するようにさらに構成される、請求項１１のｅノードＢ。
【請求項１７】
前記プロセッサは、前記第２のＷＴＲＵに割り当てられる帯域幅が異なるという条件で、スクランブリングシーケンスを前記第１のＷＴＲＵ固有のＲＳに適用するのを防ぐようにさらに構成される、請求項１５のｅノードＢ。
【請求項１８】
少なくとも１つのＷＴＲＵ固有のＲＳは、少なくとも１つのダウンリンクチャネルに相当する、請求項１１のｅノードＢ。
【請求項１９】
前記ＲＥは、リソースブロックに割り当てられる、請求項１１のｅノードＢ。
【請求項２０】
前記リソースブロックは、少なくとも前記第１のＷＴＲＵ固有のＲＳおよび前記第２のＷＴＲＵ固有のＲＳを含む、請求項１９のｅノードＢ。
【発明の詳細な説明】
【技術分野】
【０００１】
本願は、多入力多出力動作の方法および装置に関する。
【背景技術】
【０００２】
本出願は、２０１１年８月１２日に出願された米国特許仮出願第６１／５２２９３４号明細書の利益を主張し、その開示内容は、参照により本明細書に組み込まれる。
【０００３】
ＬＴＥ−Ａ(Long Term Evolution Advanced)における閉ループプリコーディング方式は、データのカバレッジを改善するためにＷＴＲＵ（無線送信／受信ユニット）固有の参照信号を使用してダウンリンクで８送信アンテナ構成までサポートするように拡張されている。ＷＴＲＵ固有の復調参照信号（ＤＭ  ＲＳ）は、データと同じやり方でプリコードされているので、非コードブックベースのプリコーディングを適用できる。
【０００４】
ＬＴＥリリース１０におけるＤＭ  ＲＳポートの直交性は、符号分割多重化（ＣＤＭ）と周波数分割多重化（ＦＤＭ）との組み合わせを使用して実現される。図１７は、アンテナポート７、８、９、および１０の標準の循環プリフィックスの従来のＷＴＲＵ固有の参照信号パターンを示している。各サブフレームの１レイヤ当たり計１２のリソース要素（ＲＥ）が使用されている。２つのＣＤＭグループは、周波数領域における異なるサブキャリアを占有する。ＬＴＥリリース１０において、アンテナポート７、８、１１、および１３は、ＣＤＭグループ１に属し、アンテナポート９、１０、１２、および１４は、ＣＤＭグループ２に属する。ランク１からランク４までは、長さ２をもつ直交カバーコード（ＯＣＣ）は、各スロットの２つの隣接ＲＥに適用され、一方、ランク５からランク８までは、長さ４をもつＯＣＣは、サブフレーム内の連続ＲＥから成る２つのグループに適用される。
【０００５】
ＷＴＲＵは、割り当てられたＤＭ  ＲＳのアンテナポート（複数）、スクランブル識別子、およびダウンリンク制御情報（例えば、表１に示しているように、ＤＣＩフォーマット２Ｃにおける３ビットフィールド）を介したレイヤ数に関する情報を受信する。ｎＳＣＩＤは、アンテナポート７および８のスクランブル識別子である。
【０００６】
【表１】
0006286519.tif 000002
【０００７】
ＬＴＥリリース１０において、マルチユーザ多入力多出力（ＭＵ−ＭＩＭＯ）動作は、４つのレイヤまでを同じ周波数−時間リソースに同時スケジュールすることができる。このスケジュールは、２つのスクランブルシーケンス、ｎＳＣＩＤ＝｛０，１｝（表１の影付きの行）を有する２つの直交ＤＭ  ＲＳアンテナポート（アンテナポート７および８）のレイヤを多重化することによって達成される。
【発明の概要】
【０００８】
ＭＩＭＯ（多入力多出力）伝送の方法および装置を開示する。ＷＴＲＵ（無線送信／受信ユニット）は、マルチユーザＭＩＭＯのペアである複数のＷＴＲＵに送信される複数の空間レイヤを含むｅノードＢからダウンリンク伝送を受信する。ＷＴＲＵは、ＷＴＲＵ固有の参照信号に基づいてダウンリンク伝送を復号する。複数のＷＴＲＵのＷＴＲＵ固有の参照信号をダウンリンク伝送に多重化して、異なるサブグループのアンテナポートのＷＴＲＵ固有の参照信号が周波数領域における異なるサブキャリアに多重化され、同じサブグループのアンテナポートのＷＴＲＵ固有の参照信号が時間領域における直交カバーコードに適用される。１つのサブグループのアンテナポートでＷＴＲＵ固有の参照信号を伝送するために使用されるリソース要素は、別のサブグループのアンテナポートでミュートできる。ＷＴＲＵは、ミュートされたリソース要素ではどのデータもＷＴＲＵに送信されないと仮定した上でダウンリンク伝送を復号できる。
【０００９】
２つのスクランブルシーケンスを有する４つのアンテナポートを使用して、８（８つの）空間レイヤまでサポートできる。ＷＴＲＵに割り当てられる帯域は、マルチユーザＭＩＭＯのペアであるＷＴＲＵに割り当てられる帯域とは異なる場合がある。この場合、マルチユーザＭＩＭＯのペアであるＷＴＲＵの最大帯域幅に関する情報をＷＴＲＵに提供できる。
【００１０】
別の実施形態において、ＷＴＲＵは、プリコーディングせずにアップリンクの復調参照信号を送信できる。
【００１１】
別の実施形態において、アップリンクの復調参照信号に割り振られるリソースブロックの数は、ペイロードに割り振られるリソースブロックの数よりも多くすることができる。
【００１２】
別の実施形態において、複数のＷＴＲＵからのアップリンクの復調参照信号は、周波数領域において多重化できる。
【図面の簡単な説明】
【００１３】
添付図面とともに例として与えられた以下の説明からより詳細な理解が得られる。
【図１Ａ】開示されている１または複数の実施形態を実装できる例示的な通信システムのシステム図である。
【図１Ｂ】図１Ａに示した通信システムで使用できる例示的なＷＴＲＵ（無線送信／受信ユニット）のシステム図である。
【図１Ｃ】図１Ａに示した通信システムで使用できる例示的な無線アクセスネットワークおよび例示的なコアネットワークのシステム図である。
【図２】ＷＴＲＵを２つの符号分割多重化（ＣＤＭ）グループに分割した例を示す図である。
【図３】８レイヤまでのＭＵ−ＭＩＭＯ動作をミュートする復調参照信号（ＤＭ  ＲＳ）の例を示す図である。
【図４】繰り返しファクタ（ＲＰＦ）を２として多重化される異なる数のリソースブロックを有する２つのＷＴＲＵの例示的なＤＭ  ＲＳを示す図である。
【図５】繰り返しファクタ（ＲＰＦ）を３として多重化される同じ数のリソースブロックを有する３つのＷＴＲＵの例示的なＤＭ  ＲＳを示す図である。
【図６Ａ】ＤＭ  ＲＳに対して相対周波数シフトを用いた例を示す図である。
【図６Ｂ】ＤＭ  ＲＳに対して相対周波数シフトを用いた例を示す図である。
【図７Ａ】従来の方法に従った、ＭＵ−ＭＩＭＯユーザへのＤＭ  ＲＳのリソース割り当てを示す図である。
【図７Ｂ】一実施形態に従った、ＭＵ−ＭＩＭＯユーザへのＤＭ  ＲＳのリソース割り当ての例を示す図である。
【図８】一実施形態に従った、ＤＭ  ＲＳの例示的なリソース割り当ておよび物理アップリンク共有チャネル（ＰＵＳＣＨ）ペイロードを示す図である。
【図９】ＰＵＳＣＨの従来のアップリンクＤＭ  ＲＳ構造を示す図である。
【図１０】レガシーＤＭ  ＲＳと付加的なＤＭ  ＲＳとの組み合わせとして定義されるＰＵＳＣＨのＤＭ  ＲＳ構造の例を示す図である。
【図１１】長さ４をもつＯＣＣマッピングを有する例示的なアップリンク（ＵＬ）ＤＭ  ＲＳ構造を示す図である。
【図１２】付加的なＤＭ  ＲＳのインターレース割り当てを有する例示的なＵＬ  ＤＭ  ＲＳ構造を示す図である。
【図１３Ａ】一実施形態に従った、２つの例示的なＤＭ  ＲＳパターンを示す図である。
【図１３Ｂ】一実施形態に従った、２つの例示的なＤＭ  ＲＳパターンを示す図である。
【図１４Ａ】周波数領域においてそれぞれ異なるシフトを有するＤＭ  ＲＳの異なるパターンを示す図である。
【図１４Ｂ】周波数領域においてそれぞれ異なるシフトを有するＤＭ  ＲＳの異なるパターンを示す図である。
【図１５】ＤＭ  ＲＳの長さ４をもつＯＣＣマッピングの例を示す図である。
【図１６】優先度に従った例示的なアップリンク制御情報（ＵＣＩ）の多重化を示す図である。
【図１７】アンテナポート７、８、９、および１０の標準の循環プリフィックスの従来のＷＴＲＵ固有の参照信号パターンを示す図である。
【発明を実施するための形態】
【００１４】
図１Ａは、開示された１または複数の実施形態を実装できる例示的な通信システム１００の図である。通信システム１００は、音声、データ、ビデオ、メッセージング、ブロードキャストなどのコンテンツを複数の無線ユーザに提供する多元接続システムにすることができる。通信システム１００は、無線帯域幅を含むシステムリソースの共有を通じて、複数の無線ユーザがそのようなコンテンツにアクセスすることを可能にする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）などの、１または複数のチャネルアクセス方法を用いることができる。
【００１５】
図１Ａに示しているように、通信システム１００は、ＷＴＲＵ（無線送信／受信ユニット）１０２ａ、１０２ｂ、１０２ｃ、１０２ｄと、無線アクセスネットワーク（ＲＡＮ）１０４と、コアネットワーク１０６と、公衆交換電話網（ＰＳＴＮ）１０８と、インターネット１１０と、他のネットワーク１１２とを含むことができるが、開示された実施形態は、任意の数のＷＴＲＵ、基地局、ネットワーク、および／またはネットワーク要素も企図していることが認識されよう。ＷＴＲＵ１０２ａ、１０２ｂ、１０２ｃ、１０２ｄのそれぞれは、無線環境で動作および／または通信するように構成された任意のタイプのデバイスにすることができる。例として、ＷＴＲＵ１０２ａ、１０２ｂ、１０２ｃ、１０２ｄを無線信号を送信および／または受信するように構成でき、ユーザ機器（ＵＥ）、移動局、固定式または移動式加入者ユニット、ページャ、携帯電話、携帯情報端末（ＰＤＡ）、スマートフォン、ラップトップ、ネットブック、パーソナルコンピュータ、無線センサ、家電製品などを含むことができる。
【００１６】
通信システム１００は、基地局１１４ａおよび基地局１１４ｂを含むこともできる。基地局１１４ａ、１１４ｂのそれぞれは、ＷＴＲＵ１０２ａ、１０２ｂ、１０２ｃ、１０２ｄのうちの少なくとも１つとワイヤレスにインタフェースして、コアネットワーク１０６、インターネット１１０、および／またはネットワーク１１２などの、１または複数の通信ネットワークへのアクセスを容易にするように構成された任意のタイプのデバイスにすることができる。例として、基地局１１４ａ、１１４ｂは、ベーストランシーバ基地局（ＢＴＳ）、ノードＢ、ｅノードＢ、ホームノードＢ、ホームｅノードＢ、サイトコントローラ、アクセスポイント（ＡＰ）、無線ルータなどにすることができる。基地局１１４ａ、１１４ｂはそれぞれ、単一要素として示されているが、基地局１１４ａ、１１４ｂは、相互接続された任意の数の基地局および／またはネットワーク要素を含むことができることが認識されよう。
【００１７】
基地局１１４ａをＲＡＮ１０４の一部にすることができ、ＲＡＮは、基地局コントローラ（ＢＳＣ）、無線ネットワークコントローラ（ＲＮＣ）、中継ノードなどの、他の基地局および／またはネットワーク要素（図示せず）を含むこともできる。基地局１１４ａおよび／または基地局１１４ｂをセル（図示せず）と呼ばれる、特定の地理的領域で無線信号を送信および／または受信するように構成できる。セルをセルセクタにさらに分割できる。例えば、基地局１１４ａと関連付けられたセルを３つのセクタに分割できる。従って、一実施形態において、基地局１１４ａは、３つのトランシーバ、即ち、セルの１セクタ当たり１トランシーバを含むことができる。別の実施形態において、基地局１１４ａは、ＭＩＭＯ（多入力多出力）技術を用いることができるので、セルの１セクタ当たり複数のトランシーバを利用することができる。
【００１８】
基地局１１４ａ、１１４ｂは、無線インタフェース１１６を介してＷＴＲＵ１０２ａ、１０２ｂ、１０２ｃ、１０２ｄのうちの１または複数と通信でき、無線インタフェースを適した任意の無線通信リンク（例えば、無線周波数（ＲＦ）、マイクロ波、赤外線（ＩＲ）、紫外線（ＵＶ）、可視光線など）にすることができる。適した任意の無線アクセス技術（ＲＡＴ）を使用して、無線インタフェース１１６を確立できる。
【００１９】
より詳細には、上述のように、通信システム１００は、多元接続システムにすることができ、ＣＤＭＡ、ＴＤＭＡ、ＦＤＭＡ、ＯＦＤＭＡ、ＳＣ−ＦＤＭＡなどの、１または複数のチャネルアクセススキームを用いることができる。例えば、ＲＡＮ１０４の基地局１１４ａおよびＷＴＲＵ１０２ａ、１０２ｂ、１０２ｃは、広域ＣＤＭＡ（ＷＣＤＭＡ（登録商標））を使用して無線インタフェース１１６を確立できる、ＵＴＲＡ(UMTS(Universal Mobile Telecommunications System)Terrestrial Radio Access)などの無線技術を実装できる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００２０】
別の実施形態において、基地局１１４ａおよびＷＴＲＵ１０２ａ、１０２ｂ、１０２ｃは、ＬＴＥ(Long Term Evolution)および／またはＬＴＥ−Ａ(LTE-Advanced)を使用して無線インタフェース１１６を確立できる、Ｅ−ＵＴＲＡ(Evolved UMTS Terrestrial Radio Access)などの無線技術を実装できる。
【００２１】
他の実施形態において、基地局１１４ａおよびＷＴＲＵ１０２ａ、１０２ｂ、１０２ｃは、ＩＥＥＥ８０２．１６（即ち、ＷｉＭＡＸ(Worldwide Interoperability for Microwave Access)、ＣＤＭＡ２０００、ＣＤＭＡ２０００１Ｘ、ＣＤＭＡ２０００ＥＶ−ＤＯ、ＩＳ−２０００(Interim Standard 2000)、ＩＳ−９５(Interim Standard 95)、ＩＳ−８５６(Interim Standard 856)、（ＧＳＭ（登録商標））Global System for Mobile communications）、ＥＤＧＥ(Enhanced Data rates for GSM Evolution)、ＧＥＲＡＮ（ＧＳＭ  ＥＤＧＥ）などの無線技術を実装できる。
【００２２】
図１Ａの基地局１１４ｂは、例えば、無線ルータ、ホームノードＢ、ホームｅノードＢ、またはアクセスポイントにすることができ、事業所、住居、車、キャンパスなどのローカルエリアで無線接続性を容易にするのに適した任意のＲＡＴを利用できる。一実施形態において、基地局１１４ｂおよびＷＴＲＵ１０２ｃ、１０２ｄは、無線ローカルエリアネットワーク（ＷＬＡＮ）を確立するＩＥＥＥ８０２．１１などの、無線技術を実装できる。別の実施形態において、基地局１１４ｂおよびＷＴＲＵ１０２ｃ、１０２ｄは、無線パーソナルエリアネットワーク（ＷＰＡＮ）を確立するＩＥＥＥ８０２．１５などの、無線技術を実装できる。さらに別の実施形態において、基地局１１４ｂおよびＷＴＲＵ１０２ｃ、１０２ｄは、セルベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立できる。図１Ａに示しているように、基地局１１４ｂは、インターネット１１０に直接接続できる。従って、基地局１１４ｂは、コアネットワーク１０６経由でインターネット１１０にアクセスする必要がない。
【００２３】
ＲＡＮ１０４は、コアネットワーク１０６と通信でき、コアネットワーク１０６は、音声、データ、アプリケーション、および／またはＶｏＩＰ(voice over internet protocol)サービスを、ＷＴＲＵ１０２ａ、１０２ｂ、１０２ｃ、１０２ｄのうち１または複数に提供するように構成された任意のタイプのネットワークにすることができる。例えば、コアネットワーク１０６は、呼制御、課金サービス、モバイルロケーションベースのサービス、プリペイド電話、インターネット接続性、ビデオ配布などを提供でき、および／またはユーザ認証などの高レベルのセキュリティ機能を実行できる。図１Ａに示していないが、ＲＡＮ１０４および／またはコアネットワーク１０６は、ＲＡＮ１０４と同じＲＡＴまたは異なるＲＡＴを用いる他のＲＡＮと直接または間接的に通信できることが認識されよう。例えば、コアネットワーク１０６は、Ｅ−ＵＴＲＡ無線技術を利用できるＲＡＮ１０４に接続されることに加えて、ＧＳＭ無線技術を用いた別のＲＡＮ（図示せず）と通信することもできる。
【００２４】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして機能することもできる。ＰＳＴＮ１０８は、旧来の音声電話サービス（ＰＯＳＴ）を提供する回線交換電話網を含むことができる。インターネット１１０は、ＴＣＰ／ＩＰインターネットプロトコルスイートにおける伝送制御プロトコル（ＴＣＰ）、ユーザデータグラムプロトコル（ＵＤＰ）およびインターネットプロトコル（ＩＰ）などの、共通の通信プロトコルを使用する相互接続されたコンピュータネットワークおよびデバイスのグローバルシステムを含むことができる。ネットワーク１１２は、他のサービスプロバイダによって所有および／または運用される有線または無線通信ネットワークを含むことができる。例えば、ネットワーク１１２は、ＲＡＮ１０４と同じＲＡＴまたは異なるＲＡＴを用いることができる１または複数のＲＡＮに接続された別のコアネットワークを含むことができる。
【００２５】
通信システム１００のＷＴＲＵ１０２ａ、１０２ｂ、１０２ｃ、１０２ｄの一部またはすべては、マルチモード能力を含むことができる。即ち、ＷＴＲＵ１０２ａ、１０２ｂ、１０２ｃ、１０２ｄは、異なる無線リンク経由の異なる無線ネットワークと通信するために複数のトランシーバを含むことができる。例えば、図１Ａに示したＷＴＲＵ１０２ｃは、セルベースの無線技術を用いることができる基地局１１４ａと、ＩＥＥＥ８０２無線技術を用いることができる基地局１１４ｂとの通信を行うように構成できる。
【００２６】
図１Ｂは、例示的なＷＴＲＵ１０２のシステム図である。図１Ｂに示しているように、ＷＴＲＵ１０２は、プロセッサ１１８、トランシーバ１２０、送信／受信要素１２２、スピーカ／マイクロフォン１２４、キーパッド１２６、ディスプレイ／タッチパッド１２８、ノンリムーバブルメモリ１３０、リムーバブルメモリ１３２、電源１３４、全地球測位システム（ＧＰＳ）チップセット１３６、および他の周辺機器１３８を含むことができる。ＷＴＲＵ１０２は、実施形態と整合性を保った上で、上述の要素の部分的組み合わせを任意に含むことができることが認識されよう。
【００２７】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連動する１または複数のマイクロプロセッサ、コントローラ、マイクロコントローラ、特定用途向け集積回路（ＡＳＩＣ）、フィールドプログラマブルゲートアレイ（ＦＰＧＡ）回路、その他のタイプの集積回路（ＩＣ）、ステートマシンなどにすることができる。プロセッサ１１８は、信号コーディング、データ処理、電力制御、入力／出力処理、および／またはＷＴＲＵ１０２が無線環境で動作できるようにさせるその他の機能性を実行できる。プロセッサ１１８をトランシーバ１２０に結合でき、トランシーバ１２０を送信／受信要素１２２に結合できる。図１Ｂでは、プロセッサ１１８とトランシーバ１２０とを個別のコンポーネントとして示しているが、プロセッサ１１８とトランシーバ１２０とを電子パッケージまたはチップ内で一体化できることが認識されよう。
【００２８】
送信／受信要素１２２は、無線インタフェース１１６経由で基地局（例えば、基地局１１４ａ）に信号を送信し、または基地局から信号を受信するように構成できる。例えば、一実施形態において、送信／受信要素１２２は、ＲＦ信号を送信および／または受信するように構成されたアンテナにすることができる。別の実施形態において、送信／受信要素１２２は、例えば、ＩＲ、ＵＶ、または可視光線の信号を送信および／または受信するように構成されたエミッタ／検出器にすることができる。さらに別の実施形態において、送信／受信要素１２２は、ＲＦ信号と光信号との両方を送受信するように構成できる。送信／受信要素１２２は、無線信号の任意の組み合わせを送信および／または受信するように構成できることが認識されよう。
【００２９】
さらに、送信／受信要素１２２を単一要素として図１Ｂに示しているが、ＷＴＲＵ１０２は、任意の数の送信／受信要素１２２を含むことができる。より詳細には、ＷＴＲＵ１０２は、ＭＩＭＯ技術を用いることができる。従って、一実施形態において、ＷＴＲＵ１０２は、無線インタフェース１１６経由で無線信号を送受信する２または３以上の送信／受信要素１２２（例えば、複数のアンテナ）を含むことができる。
【００３０】
トランシーバ１２０は、送信／受信要素１２２によって送信される信号を変調し、そして送信／受信要素１２２によって受信される信号を復調するように構成できる。上述のように、ＷＴＲＵ１０２は、マルチモード能力を有することができる、従って、トランシーバ１２０は、ＷＴＲＵ１０２が、例えば、ＵＴＲＡおよびＩＥＥＥ８０２．１１などの、複数のＲＡＴを介して通信できるようにさせる複数のトランシーバを含むことができる。
【００３１】
ＷＴＲＵ１０２のプロセッサ１１８をスピーカ／マイクロフォン１２４、キーバッド１２６、および／またはディスプレイ／タッチパッド１２８（例えば、液晶ディスプレイ（ＬＣＤ）表示ユニットまたは有機発光ダイオード（ＯＬＥＤ）表示ユニット）に結合し、そしてこれらからユーザ入力データを受信できる。プロセッサ１１８は、スピーカ／マイクロフォン１２４、キーバッド１２６、および／またはディスプレイ／タッチパッド１２８にユーザデータを出力することもできる。さらに、プロセッサ１１８は、ノンリムーバブルメモリ１３０および／またはリムーバブルメモリ１３２などの、適した任意のタイプのメモリからの情報にアクセスし、そしてこれらのメモリにデータを記憶できる。ノンリムーバブルメモリ１３０は、ランダムアクセスメモリ（ＲＡＭ）、リードオンリーメモリ（ＲＯＭ）、ハードディスク、またはその他のタイプのメモリ記憶デバイスを含むことができる。リムーバブルメモリ１３２は、ＳＩＭ(subscriber identity module)カード、メモリスティック、ＳＤ(secure digital)メモリカードなどを含むことができる。他の実施形態において、プロセッサ１１８は、サーバまたはホームコンピュータ（図示せず）などの、物理的にＷＴＲＵ１０２に置かれないメモリからの情報にアクセスし、そしてこれらのメモリにデータを記憶できる。
【００３２】
プロセッサ１１８は、電源１３４から電力を受信でき、そしてその電力をＷＴＲＵ１０２の他のコンポーネントに分配および／または制御するように構成することができる。電源１３４は、ＷＴＲＵ１０２に電力供給するのに適した任意のデバイスにすることができる。例えば、電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００３３】
プロセッサ１１８をＧＰＳチップセット１３６に結合することもでき、ＧＰＳチップセット１３６は、ＷＴＲＵ１０２の現在の位置に関する位置情報（例えば、経緯度）を提供するように構成できる。追加または代替として、ＧＰＳチップセット１３６からの情報により、ＷＴＲＵ１０２は、無線インタフェース１１６経由で基地局（例えば、基地局１１４ａ、１１４ｂ）から位置情報を受信し、および／または２または３以上の近隣の基地局から受信される信号のタイミングに基づいてＷＴＲＵの位置を判定できる。ＷＴＲＵ１０２は、実施形態と整合性を保った上で、適した任意の位置判定方法によって位置情報を取得できることが認識されよう。
【００３４】
プロセッサ１１８をさらに他の周辺機器１３８に結合することができ、周辺機器１３８は、付加的な特徴、機能性および／または有線または無線接続性を提供する、１または複数のソフトウェアモジュールおよび／またはハードウェアモジュールを含むことができる。例えば、周辺機器１３８は、加速度計、電子コンパス、衛星トランシーバ、デジタルカメラ（写真またはビデオ用）、ＵＳＢ(universal serial bus)ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００３５】
図１Ｃは、実施形態に従ったＲＡＮ１０４およびコアネットワーク１０６のシステム図である。上述のように、ＲＡＮ１０４は、無線インタフェース１１６経由でＷＴＲＵ１０２ａ、ＷＴＲＵ１０２ｂ、ＷＴＲＵ１０２ｃと通信するＥ−ＵＴＲＡ技術を用いることができる。ＲＡＮ１０４は、コアネットワーク１０６とも通信できる。
【００３６】
ＲＡＮ１０４は、ｅノードＢ１４０ａ、１４０ｂ、１４０ｃを含むことができるが、実施形態と整合性を保った上でＲＡＮ１０４は、任意の数のｅノードＢを含むことができることが認識されよう。ｅノードＢ１４０ａ、１４０ｂ、１４０ｃのそれぞれは、無線インタフェース１１６経由でＷＴＲＵ１０２ａ、ＷＴＲＵ１０２ｂ、ＷＴＲＵ１０２ｃと通信するために１または複数のトランシーバを含むことができる。一実施形態において、ｅノードＢ１４０ａ、１４０ｂ、１４０ｃは、ＭＩＭＯ技術を実装できる。従って、ｅノードＢ１４０ａは、例えば、ＷＴＲＵ１０２ａに無線信号を送信し、そしてＷＴＲＵ１０２ａから無線信号を受信する複数のアンテナを使用できる。
【００３７】
ｅノードＢ１４０ａ、１４０ｂ、１４０ｃのそれぞれを特定のセル（図示せず）と関連付けることができ、そして無線リソース管理決定、ハンドオーバー決定、アップリンクおよび／またはダウンリンクにおけるユーザのスケジューリングなどを処理するように構成できる。図１Ｃに示しているように、ｅノードＢ１４０ａ、１４０ｂ、１４０ｃは、Ｘ２インタフェース経由で互いに通信できる。
【００３８】
図１Ｃに示しているコアネットワーク１０６は、モビリティ管理ゲートウェイ（ＭＭＥ）１４２、サービングゲートウェイ１４４、およびパケットデータネットワーク（ＰＤＮ）ゲートウェイ１４６を含むことができる。上述した要素のそれぞれをコアネットワーク１０６の一部として示しているが、これらの要素のいずれも、コアネットワークオペレータ以外のエンティティによって所有および／または運用できることが認識されよう。
【００３９】
ＭＭＥ１４２は、Ｓ１インタフェース経由でＲＡＮ１０４のｅノードＢ１４２ａ、１４２ｂ、１４２ｃのそれぞれに接続されて、制御ノードとして機能できる。例えば、ＭＭＥ１４２は、ＷＴＲＵ１０２ａ、１０２ｂ、１０２ｃのユーザを認証し、ベアラのアクティブ化／非アクティブ化を行い、ＷＴＲＵ１０２ａ、１０２ｂ、１０２ｃの初期接続(initial attach)時に特定のサービングゲートウェイを選択することなどに関与することができる。ＭＭＥ１４２は、ＲＡＮ１０４と、ＧＳＭまたはＷＣＤＭＡなどの他の無線技術を用いる他のＲＡＮ（図示せず）とを切り替える制御プレーン機能を提供することもできる。
【００４０】
サービングゲートウェイ１４４をＳ１インタフェース経由でＲＡＮ１０４のｅノードＢ１４０ａ、１４０ｂ、１４０ｃのそれぞれに接続できる。サービングゲートウェイ１４４は、一般に、ＷＴＲＵ１０２ａ、１０２ｂ、１０２ｃへの／からのユーザデータパケットをルートして転送できる。サービングゲートウェイ１４４は、ｅノードＢ間のハンドオーバー時にユーザプレーンをアンカーし、ダウンリンクデータがＷＴＲＵ１０２ａ、１０２ｂ、１０２ｃに使用可能になった時にページングをトリガし、ＷＴＲＵ１０２ａ、１０２ｂ、１０２ｃのコンテキストを管理して記憶するなどの、他の機能も実行できる。
【００４１】
サービングゲートウェイ１４４をＰＤＮゲートウェイ１４６に接続することもでき、ＰＤＮゲートウェイは、ＷＴＲＵ１０２ａ、１０２ｂ、１０２ｃにインターネット１１０などの、パケット交換ネットワークへのアクセスを提供して、ＷＴＲＵ１０２ａ、１０２ｂ、１０２ｃとＩＰ対応のデバイスとの間の通信を容易にすることができる。
【００４２】
コアネットワーク１０６は、他のネットワークとの通信を容易にすることができる。例えば、コアネットワーク１０６は、ＷＴＲＵ１０２ａ、１０２ｂ、１０２ｃにＰＳＴＮ１０８などの回路交換ネットワークへのアクセスを提供して、ＷＴＲＵ１０２ａ、１０２ｂ、１０２ｃと従来の固定電話回線の通信デバイスとの間の通信を容易にすることができる。例えば、コアネットワーク１０６は、コアネットワーク１０６とＰＳＴＮ１０８との間のインタフェースとして機能するＩＰゲートウェイ（例えば、ＩＰマルチメディアサブシステム（ＩＭＳ）サーバ）を含むことができる、またはこれと通信できる。さらに、コアネットワーク１０６は、ＷＴＲＵ１０２ａ、１０２ｂ、１０２ｃにネットワーク１１２へのアクセスを提供でき、ネットワーク１１２は、他のサービスプロバイダによって所有および／または運用される他の有線または無線通信ネットワークを含むことができる。
【００４３】
ＭＵ−ＭＩＭＯのダウンリンクＤＭ  ＲＳエンハンスメントの実施形態を以下に開示する。
【００４４】
低電力のリモート無線ヘッド（ＲＲＨ）を有するマクロノードのＭＩＭＯ実装などの、ＭＩＭＯ実装は、より多くのＷＴＲＵをそれぞれのカバレッジエリア内でサポートできる。しかしながら、２つのスクランブルシーケンスを有するアンテナポート７および８を使用するＬＴＥリリース１０におけるＭＵ−ＭＩＭＯの場合、４つまでのレイヤを同じ周波数−時間リソース（即ち、リソースブロック）に同時スケジュールできる。これらの４つのレイヤのうち２のレイヤは、完全直交であるが、残りの２つのレイヤは、２つのスクランブルシーケンスを使用するために準直交である。この結果、ＷＴＲＵにおいて直交性を失い、逆にシステムスループットに悪影響を与える。
【００４５】
一実施形態において、レイヤの直交性を改善し、そしてＭＵ−ＭＩＭＯ動作のためのレイヤ数を増加するために、ＤＭ  ＲＳポートの新しいセットをＭＵ−ＭＩＭＯ動作のために定義できる。例えば、ＭＵ−ＭＩＭＯ動作は、ＤＭ  ＲＳアンテナポート７、８、９、および１０を使用して実行できる（即ち、ＣＤＭグループ１（アンテナポート７および８）とＣＤＭグループ２（アンテナポート９および１０）の両方をＭＵ−ＭＩＭＯ動作に使用できる）。この実施形態では、２つのスクランブルシーケンスを用いてＭＩＭＯ動作を行うために８レイヤまでを一斉に同時スケジュールできる。
【００４６】
ｅノードＢスケジューラ（またはその他のネットワークノード）は、ＭＵ−ＭＩＭＯ動作のためにＷＴＲＵをＷＴＲＵの空間相関に基づいて複数の（例えば、２つの）グループに分割でき、そしてＷＴＲＵから成る各グループを異なるＣＤＭグループ（即ち、ＯＣＣを使用して同じ周波数リソースに多重化されるアンテナポート）に割り当てることができる。ｅノードＢは、レイヤ３、２、または１のシグナリングを使用して半静的または動的のいずれかで各グループのＷＴＲＵに、ＷＴＲＵが割り当てられるＤＭ  ＲＳ  ＣＤＭグループを通知できる。図２は、ＷＴＲＵを２つのＣＤＭグループに分割する例を示している。この例において、ＷＴＲＵ２０２およびＷＴＲＵ２０４は、それらの空間相関に基づいて一緒にグループ化されて、ＣＤＭグループ１に割り当てられ、そしてＷＴＲＵ２０６およびＷＴＲＵ２０８は、それらの空間相関に基づいて一緒にグループ化されて、ＣＤＭグループ２に割り当てられる。
【００４７】
ＷＴＲＵは、割り当てられるＤＭ  ＲＳポート（複数）に関する設定を上位層メッセージまたはダウンリンク制御情報（例えば、ＤＣＩフォーマット２Ｃ）を介して行うことができる。表２は、３ビットのＤＣＩフォーマット２Ｃを使用してＣＤＭグループ２におけるＭＵ−ＭＩＭＯ動作に対するアンテナポート（複数）、スクランブリング識別子（ｎＳＣＩＤ）、およびレイヤ数を表示した例を示している。ＷＴＲＵは、ＷＴＲＵのダウンリンク割り当てを復号し、その後、表１または表２で示しているように、ＷＴＲＵの割り当ての３ビットフィールドを使用して、割り当てられたアンテナポート、スクランブリング識別子、レイヤ数を識別する。
【００４８】
【表２】
0006286519.tif 000003
【００４９】
一実施形態において、ＣＤＭグループに同時スケジュールされたＷＴＲＵの直交性を改善し、そしてＷＴＲＵにおけるチャンネル推定を容易するために、ＤＭ  ＲＳミューティングを用いることができる。図３は、８レイヤまでのＭＵ−ＭＩＭＯ動作のＤＭ  ＲＳミューティングの例を示している。図３に示しているように、ＣＤＭグループ１のアンテナポートにＷＴＲＵ固有の参照信号を伝送するために使用されるリソース要素は、ＣＤＭグループ２のアンテナポートの送信に使用できず、逆の場合も同じである。
【００５０】
この実施形態において、ＷＴＲＵが、チャネル推定のために１つのＣＤＭグループに割り当てられたＤＭ  ＲＳポート（例えば、ＤＭ  ＲＳポート｛７，８｝または｛９，１０｝のいずれか）を用いていても、ＷＴＲＵは、データのレートマッチングがＭＵ−ＭＩＭＯのＤＭ  ＲＳポート（例えば、アンテナポート７、８、９、および１０）に割り振られたリソース要素の周辺で実行されると仮定する。ＷＴＲＵは、ミュートされたリソース要素ではどのデータもＷＴＲＵに送信されないと仮定した上でダウンリンク伝送を復号できる。この実施形態において、アンテナポートｐ（ｐ∈｛７，８，９，１０｝）が使用される場合、ＷＴＲＵは、セット｛７，８，９，１０｝内の他のアンテナポートが別のＷＴＲＵへのＰＤＳＣＨ伝送と関連していないと仮定することができない。
【００５１】
ＬＴＥリリース１０において、ＭＵ−ＭＩＭＯの同時スケジュールされたＷＴＲＵの直交性を維持するために、ＭＵ−ＭＩＭＯ動作のペアであるＷＴＲＵの伝送帯域幅は、双方のＷＴＲＵに同じＤＭ  ＲＳが使用される場合、同一である。言い換えれば、３以上のＷＴＲＵに対するＭＵ−ＭＩＭＯ動作の不均一なＤＬリソース割り当ては、ＬＴＥリリース１０では不可能である。これによってスケジューリングの柔軟性が低下し、代わって実現可能なセルのスループットに悪影響を与える。
【００５２】
一実施形態において、ＭＵ−ＭＩＭＯ動作は、不均一な帯域幅で実行できる（即ち、不均一な帯域幅のリソースをＭＵ−ＭＩＭＯのペアであるＷＴＲＵに割り振ることができる）。ＭＵ−ＭＩＭＯ動作を強化するために、ＭＵ−ＭＩＭＯ動作のペアであるＷＴＲＵの最大伝送帯域幅を、同じＣＤＭグループに同時スケジュールされたすべてのＷＴＲＵに信号で送ることができる。ＷＴＲＵは、この情報を使用して、ＤＭ  ＲＳに適用されるスクランブルシーケンスを生成し、ＭＵ−ＭＩＭＯの同時スケジュールされた干渉の知識に基づいて干渉測定を改善し、ＭＵ−ＭＩＭＯの同時スケジュールされたＷＴＲＵによって生じた干渉を考慮に入れることによってチャネル状態情報（ＣＳＩ）のフィードバックを計算し、ＭＵ−ＭＩＭＯの同時スケジュールされた干渉のＤＭ  ＲＳ情報を使用したチャネル推定を強化するなどを行うことができる。
【００５３】
ＮPDSCHRBは、ＲＢの数で表された対応するＰＤＳＣＨ伝送の物理リソースブロックの帯域幅を示している。Ｋ個のＷＴＲＵにＭＵ−ＭＩＭＯ動作が同時スケジュールされていると仮定した上で、ＷＴＲＵは、上位層シグナリングまたはダウンリンク制御情報（ＤＣＩ）のいずれかを介して、ＭＵ−ＭＩＭＯのペアであるＷＴＲＵの最大帯域幅の付加的なパラメータＮmax,PDSCHRBを備えることができ、そのパラメータを以下によって導出できる。
【００５４】
【数１】
0006286519.tif 000004
【００５５】
ＮPDSCHRB,kは、ｋ番目にＭＵ−ＭＩＭＯ動作が同時スケジュールされたＷＴＲＵに割り振られた物理リソースブロックの総数を示す。
【００５６】
不均一な帯域幅割り当てを伴うＭＵ−ＭＩＭＯ動作のサポートでは、ＭＵ−ＭＩＭＯのペアであるＷＴＲＵのＤＭ  ＲＳを分割する必要がある。ＷＴＲＵが同じＤＭ  ＲＳポートを割り当てられている場合、同時スケジュールされたレイヤの直交性を維持するために、不均一な帯域幅割り当てを伴うＭＵ−ＭＩＭＯ動作においては、ＷＴＲＵ固有の参照信号のスクランブル機能は無効にされることができる。ＷＴＲＵ固有の参照信号のスクランブリングの無効化は、上位層またはＷＴＲＵ固有のやり方によるその他のシグナリングによって行うことができる。
【００５７】
ＭＵ−ＭＩＭＯ動作は、セルエッジ上のＷＴＲＵに対して使用されないので、スクランブリングを用いないことによるセル間干渉は、同時スケジュールされたＭＵ−ＭＩＭＯ  ＷＴＲＵの性能を阻害する要因にならない。セル間干渉が激しい場合、ＷＴＲＵ固有の参照信号のリソース要素のロケーションは、セル固有のやり方で周波数領域または時間領域においてシフトできる。例えば、ＷＴＲＵ固有の参照信号を１つのＷＴＲＵに伝送するために使用されるアンテナポートがセットＳに属する場合、ここでのＳ＝｛７，８，１１，１３｝またはＳ＝｛９，１０，１２，１４｝であり、ＷＴＲＵ固有の参照信号を伝送するリソース要素は、
【００５８】
【数２】
0006286519.tif 000005
【００５９】
により、周波数領域においてシフトできる。ここでのＮcellIDは、物理レイヤのセル識別子である。
【００６０】
アップリンクＤＭ  ＲＳを強化する実施形態を以下に開示する。
【００６１】
ＬＴＥ−Ａにおいて、アップリンクＤＭ  ＲＳシーケンスは、Ｚａｄｏｆｆ−Ｃｈｕ（ＺＣ）シーケンスまたはコンピュータ生成のシーケンスから導出される。それらのシーケンスは、最適な自己相関プロパティと時間および周波数領域においてほぼ一定の振幅とを有する。循環シフトのＤＭ  ＲＳシーケンスは、相互に直交し、多重化に好適である。ＬＴＥリリース８において、複数のＷＴＲＵが均一な帯域幅割り当てで同時スケジュールされる時、循環シフトされたＤＭ  ＲＳシーケンスを用いてＭＵ−ＭＩＭＯをサポートする。セル間干渉は、セル内でＤＭ  ＲＳのベースシーケンスをスロット毎に変更するシーケンスグループホッピング（ＳＧＨ）を用いることによってさらにランダム化される。これは、隣接セルから干渉を受けたＤＭ  ＲＳとの相互相関をランダム化して、セル間干渉を緩和させることができる。しかしながら、相互相関の効果によって、ＬＴＥリリース８は、不均一な長さのＤＭ  ＲＳシーケンスを多重化できる柔軟なリソース割り当てを用いてＭＵ−ＭＩＭＯをサポートできない。
【００６２】
ＬＴＥ−Ａリリース１０は、ＭＵ−ＭＩＭＯの柔軟なスケジューリングを容易にするプロビジョンを導入している。一部のＷＴＲＵに対して、ＳＧＨは、ＤＭ  ＲＳシーケンスをサブフレームの２つのスロット内で同一にするためにＷＴＲＵに固有のやり方で無効にすることができ、その後、長さ２をもつ直交カバーコード（ＯＣＣ）をサブフレーム内のＤＭ  ＲＳシンボルに適用できる。この方式は、ファクタを２にすることによってリソースの多重化容量を増やす。ＳＧＨを無効にすることによって、異なるＯＣＣを有するＭＵ−ＭＩＭＯ  ＷＴＲＵは、それらの帯域幅割り当てに関係なくＤＭ  ＲＳの直交性を有する。しかしながら、無効化したＳＧＨによって、隣接セル上のＷＴＲＵからのセル間干渉が増える。
【００６３】
一実施形態において、ＷＴＲＵのアップリンクＤＭ  ＲＳは、周波数領域において多重化できる。ＷＴＲＵに異なる周波数オフセットが割り当てられていれば、それらのＤＭ  ＲＳは、直交し、多重化できる。多重化は、セル内ＷＴＲＵおよび／またはセル間ＷＴＲＵの間で行うことができる。ＤＭ  ＲＳの定振幅ゼロ自己相関（ＣＡＺＡＣ）プロパティを保存する必要がある場合、ＤＭ  ＲＳシーケンスは、従来のＬＴＥリリース８／１０シーケンス（以下「ベースシーケンス」と呼ぶ）から、適した繰り返しファクタ（ＲＰＦ）を用いて適切なベースシーケンスを一様にアップサンプリングすることによって導出できる。ＬＴＥリリース８／１０のベースシーケンスは、すべて１２の倍数である。
【００６４】
図４は、ＲＰＦが２で多重化された異なる数のリソースブロック（この例において１つのＲＢおよび２つのＲＢ）を有する２つのＷＴＲＵの例示的なＤＭ  ＲＳを示している。図５は、ＲＰＦが３で多重化された同じ数のリソースブロック（この例において３つのＲＢ）を有する３つのＷＴＲＵの例示的なＤＭ  ＲＳを示している。
【００６５】
ＷＴＲＵは、ＷＴＲＵのＲＢ割り当ておよびＲＰＦからベースシーケンス長を導出できる。割り振られたリソースブロック（Ｎ）の数がＲＰＦの整数倍であれば、ＷＴＲＵは、１２Ｎ／ＲＰＦ長のベースシーケンスをアップサンプリングして、ＤＭ  ＲＳシーケンスを導出できる。例えば、ＲＰＦ＝２および１０ＲＢ割り当ての場合、ＷＴＲＵは、ファクタ２で６０長（＝１２×５／２）のベースシーケンスをアップサンプリングすることによってＷＴＲＵのＤＭ  ＲＳシーケンスを導出できる。
【００６６】
割り振られたＲＢ（Ｎ）の数がＲＰＦの整数倍でなければ、ＤＭ  ＲＳは、アップサンプリングされたベースシーケンスを循環拡張または切り捨てて１２Ｎ／ＲＰＦ長に最も近づけるか、またはアップサンプリングされたベースシーケンスを循環拡張または切り捨てて最も近い素数に等しくなるようにするいずれかによって導出できる。現在、ＬＴＥにおいて、ＤＭ  ＲＳのベースシーケンス長は、１２の倍数である。本実施形態では、この要件を緩和して、ＤＭ  ＲＳ長をより柔軟に割り振ることができるようにする。
【００６７】
周波数多重化方式は、ＵＬ  ＤＭ  ＲＳのＲＥの数を減らす。これは、ＬＴＥリリース１０に比べて電力損失をもたらす。これを補うために、ＷＴＲＵは、電力を上げてＤＭ  ＲＳを送信できる。例えば、ＲＰＦ＝２の場合、ＷＴＲＵは、ＷＴＲＵのペイロードを公称電力レベルに維持しながらＷＴＲＵのＤＭ  ＲＳ信号を２倍に増幅（６ｄＢに出力増大する）できる。
【００６８】
ＤＭ  ＲＳのＲＰＦおよびＷＴＲＵの周波数オフセットは、固定または構成可能であり、ＷＴＲＵ  ＩＤ、セルＩＤ、またはその両方に基づくことができる。ＷＴＲＵの周波数オフセットは、スロット毎またはサブフレーム毎に変更できる。周波数オフセットパターンは、ＷＴＲＵ  ＩＤ、セルＩＤ、またはその両方に基づくことができる。
【００６９】
ＷＴＲＵは、上記の実施形態に従って周波数分割多重化モードで動作するか、または例えば、上位層シグナリングまたはＬ１シグナリングを介してＬＴＥリリース１０モード（即ち、周波数分割多重化を行わないＤＭ  ＲＳ）に従って動作するように柔軟に割り当てられ得る。
【００７０】
ＳＧＨが無効になっていて、ＷＴＲＵがＯＣＣを介して多重化されている時、同じＯＣＣを有するセル間ＷＴＲＵは、高レベルの干渉を引き起こす恐れがある。この干渉は、干渉しているＷＴＲＵ（複数）のＤＭ  ＲＳシーケンスに対して異なる相対周波数シフト（Δ）を導入することによって、緩和できる。
【００７１】
図６Ｂは、ＤＭ  ＲＳに相対周波数シフト（Δ＝２）を導入している例を示している。ＬＴＥリリース１０方式において、図６Ａに示しているように、サブフレームの第２スロットのＤＭ  ＲＳシーケンスは、ＳＧＨが無効の時には同一である。［１  １］または［１  −１］のいずれかのＯＣＣは、サブフレームの２つのスロットのシーケンスに適用できる。
【００７２】
実施形態に従って、相対シフトΔは、図６Ｂに示しているように、サブフレームの２つのスロットのＤＭ  ＲＳシーケンスにおいて導入されている。図６Ｂにおいて、サブフレームの第２スロットのＤＭ  ＲＳは、２の循環シフト以外は第１スロットのＤＭ  ＲＳと同じである。
【００７３】
相対シフト（Δ）が、干渉しているＷＴＲＵ間で異なるのであれば、干渉のエネルギーは、コヒーレントに付加されず、その結果、干渉を減らすことができる。相対シフト（Δ）は、サブフレームにわたって変更でき、そしてＷＴＲＵ  ＩＤおよび／またはセルＩＤから導出できる。ネットワークは、セル内のすべてのＷＴＲＵまたはＷＴＲＵのサブセットに対してこの実施形態を実装できる。
【００７４】
ＬＴＥリリース１０において、ＤＭ  ＲＳ  ＯＣＣは、アップリンクに関連するＤＣＩフォーマットで循環シフトフィールド（cyclicShift）から導出される。一実施形態において、ＯＣＣは、時間関数として導出できる（例えば、ＯＣＣは、サブフレームにわたって変更できる）。代替的または付加的には、ＯＣＣは、ＷＴＲＵ  ＩＤおよび／またはセルＩＤに基づいて導出できる。これは、ＷＴＲＵのレイヤにわたって干渉をランダム化する。
【００７５】
ＭＵ−ＭＩＭＯ  ＷＴＲＵが異なるリソース割り当てを有する時、それらのＤＭ  ＲＳシーケンスは、長さが異なり、結果として相互相関プロパティが少なくなる。一実施形態に従って、ＭＵ−ＭＩＭＯ  ＷＴＲＵは、ペイロードに対して異なるリソース割り当て(例えば、ＰＵＳＣＨ＋アップリンク制御情報（ＵＣＩ）)を行うことができるが、ＷＴＲＵは、より多いリソース割り当てに対応する長さのＤＭ  ＲＳシーケンスを割り当てられることもある。ＷＴＲＵのシーケンスの循環シフトの差異は、直交性を保証できる。この場合、ＤＭ  ＲＳは、サウンディングに使用できる。この実施形態に従って、ＳＧＨは、無効にできず、従って、セル間干渉に対するロバスト性が増す。図７Ａは、従来の方法に従って、ＭＵ−ＭＩＭＯユーザにおけるＤＭ  ＲＳのリソース割り当てを示している。図７Ｂは、本実施形態に従って、ＭＵ−ＭＩＭＯユーザにおけるＤＭ  ＲＳのリソース割り当ての例を示している。図７Ａにおいて、異なる量のリソース割り当てを有する異なるＷＴＲＵのＤＭ  ＲＳ７１２、７１４は、異なる長さの異なるベースシーケンスに由来し、直交でない。図７Ｂにおいて、異なる量のリソース割り当てを有する異なるＷＴＲＵのＤＭ  ＲＳ７２２、７２４は、異なる循環シフトを有する同じ長さの同じベースシーケンスに由来し、直交である。
【００７６】
ＤＭ  ＲＳをサウンディングに使用する実施形態を以下に開示する。
【００７７】
ＬＴＥ−Ａにおいて、サウンディングリソース信号（ＳＲＳ）を使用して、ｅノードＢにおいてチャネルサウンディングができるようにする。チャネルサウンディングは、プリコーディング行列インジケータ（ＰＭＩ）およびランクを推定し、そして周波数選択スケジューリング（ＦＳＳ）などを実行するために行われる。ＬＴＥリリース８において、ＷＴＲＵにサウンディングがスケジュールされている時、ＷＴＲＵは、割り当てられたリソース（周期性、伝送コム、伝送帯域幅、循環シフトなど）を使用して、サブフレームの最後のＳＣ−ＦＤＭＡシンボルによってＳＲＳを送信する。１ＷＴＲＵ当たりの単一レイヤおよび単一の単入力多出力（ＳＩＭＯ）伝送モードをサポートするＬＴＥリリース８において、ＤＭ  ＲＳは、ペイロードを復調するチャネル推定に加え、チャネルサウンディングにも使用できる。言い換えれば、ＤＭ  ＲＳは、ＳＲＳの役割を果たすことができる。
【００７８】
しかしながら、ＬＴＥリリース１０は、サウンディングにおけるＤＭ  ＲＳの役割を制限する。ＬＴＥリリース１０は、ＤＭ  ＲＳリソースが１送信アンテナ当たりはなく、レイヤ毎に適用される、マルチレイヤ伝送モードをサポートする。その結果、ＤＭ  ＲＳは、チャネルの知識がレイヤ１の意味のあるフィードバックにとって事前に必要な（送−受信アンテナペア毎の）個々のチャネルではなく、レシーバにおいて複合チャネル（プリコードされたチャネル）をサウンドするために使用することができる。現在、個々のチャネルは、複合チャネル推定から導出できない。
【００７９】
一実施形態において、プリコードされていないＤＭ  ＲＳをＵＬで使用して、すべての送信−受信リンクをｅノードＢによって推定できるようにする。ＤＭ  ＲＳリソースをすべての送信アンテナに割り振ることができる。アンテナの数が送信されるレイヤの数よりも多い場合、ＬＴＥリリース１０で使用されるよりもより多くのＤＭ  ＲＳリソースが使用される。プリコードされていないＤＭ  ＲＳは、半静的シグナリング（例えば、ＲＲＣシグナリング）によってまたは動的表示（例えば、修正されたＤＣＩフォーマット４）によって構成できる。
【００８０】
従来、ＤＭ  ＲＳに割り振られる物理リソースブロック（ＰＲＢ）の数は、ペイロード（例えば、ＰＵＳＣＨペイロード）に割り振られる物理リソースブロックの数と同じである。一実施形態において、ＤＭ  ＲＳベースのサウンディングが実行される場合、ＤＭ  ＲＳ割り当ては、ペイロードの割り当てから独立し得る。図８は、一実施形態に従って、ＤＭ  ＲＳおよびＰＵＳＣＨペイロードの例示的なリソース割り当てを示している。図８において、ＤＭ  ＲＳ（中央のＳＣ−ＦＤＭＡシンボル８０２）は、ペイロード（残りのＳＣ−ＦＤＭＡシンボル８０４）よりも広い帯域幅を有する。ＤＭ  ＲＳのリソース割り当ては、ＷＴＲＵにサウンディングがスケジュールされている時、上位層シグナリング（例えば、ＲＲＣ）経由またはレイヤ１またはレイヤ２経由で表示できる。特別な例では、ＤＭ  ＲＳは、ＰＵＳＣＨ割り当てを用いずにサウンディングにスケジュールされ得る。
【００８１】
要求されるリソースの数は、プリコードされていないＤＭ  ＲＳを用いて増加できる。一実施形態において、付加的なセルＩＤ（複数）（ＮcellID）をセルに割り当てることによってより多くのＤＭ  ＲＳシーケンスから成るセルを構成できる。ＮcellIDは、物理レイヤのセル識別子である。例えば、ネットワークは、オフセットδをＮcellIDに提供することによって、ＤＭ  ＲＳシーケンスの付加的なセットをセルに割り当てることができる。各セルは、セルのＮcellIDとＮcellID＋δの両方に対応するＤＭ  ＲＳリソースを有することができる。２つのセルＩＤから生成されたＤＭ  ＲＳシーケンスは、ＳＧＨが無効化されたサブフレーム内の２つのスロットにわたるＯＣＣを使用することによって直交にすることができる。
【００８２】
ＤＭ  ＲＳを用いてサウンディングする時、上記の実施形態を使用して、ＳＵ−ＭＩＭＯとＭＵ−ＭＩＭＯの両方においてＤＭ  ＲＳリソースをインターリーブできる。
【００８３】
ＷＴＲＵは、サブフレーム内の時間スロットにわたるＷＴＲＵのＤＭ  ＲＳリソースの時分割多重化を使用できる。例えば、ＷＴＲＵは、サブフレームの第１スロットの第１アンテナにリソースを割り振り、同じスロットの第２アンテナにはリソースを割り振らないことができる一方、ＷＴＲＵは、第２スロットの第２アンテナにリソースを割り振り、第２スロットの第１アンテナにはリソースを割り振らないことができる。
【００８４】
別の実施形態において、プリコードされたＤＭ  ＲＳをサウンディングに使用でき、そして個々のチャネルは、レシーバ（例えば、ｅノードＢ）において、プリコードされた複合チャネルから計算できる。異なるＰＭＩがチャネルのコヒーレンス時間内の連続伝送に使用される場合、レシーバは、サウンディングする個々のチャネルをレシーバの複合チャネルの推定から計算できる。ＷＴＲＵは、サウンディングする目的で異なるＰＭＩを連続的に送信するように構成され得る。ＷＴＲＵによって使用されるＰＭＩのシーケンスは、上位層によって構成できるか、またはＷＴＲＵ  ＩＤ、セルＩＤなどから導出できる。ＴＤＤにおいて、チャネルを相互依存性に基づいて推定できる。ＦＤＤにおいて、ＤＬ上のチャネル相関などの統計は、ＵＬ上の相互依存性に使用できる。
【００８５】
図９は、ＰＵＳＣＨの従来のアップリンクＤＭ  ＲＳ構造を示している。ＤＭ  ＲＳ割り当ては、循環シフトを有するＴＤＭベースである。ＴＤＭベースのＤＭ  ＲＳ構造のため、チャネル推定の精度は、ドップラー周波数が高くなりおよび／または変調次数が高くなる時に低下する恐れがある。さらに、ＤＭ  ＲＳ  ＳＣ−ＦＤＭＡシンボルは、スロットの中央に位置し、従って、サブフレーム境界のＳＣ−ＦＤＭＡシンボルのチャネル状態情報を取得するために外挿を必要とする。これは、高モビリティおよび変調次数がより高い場合に復調性能の低下を招く恐れがある。
【００８６】
表３は、アップリンクＤＭ  ＲＳの循環シフト割り当ておよびＯＣＣマッピングを示している。この例において、４レイヤまでを異なる循環シフトおよびＯＣＣを用いて多重化でき、この多重化は、レイヤまたは複数のユーザ間で直交性を維持するのに役立つ。
【００８７】
【表３】
0006286519.tif 000006
【００８８】
マルチユーザＭＩＭＯのレガシーＷＴＲＵ（即ち、ＬＴＥリリース８、９、および１０）の直交性を維持するために、ＤＭ  ＲＳパターンおよび多重化を以前のＬＴＥリリースで行われるように維持できる。この制約を所与として、（例えば、高ドップラー周波数において）チャネル推定の精度を上げるために、付加的なＤＭ  ＲＳをレガシーＤＭ  ＲＳの上に付加できる。図１０は、レガシーＤＭ  ＲＳ１００２と付加的なＤＭ  ＲＳ１００４との組み合わせとして定義された、ＰＵＳＣＨのＤＭ  ＲＳ構造の例を示している。同じ循環シフトおよびＯＣＣを付加的なＤＭ  ＲＳ１００４に使用できる。
【００８９】
別の実施形態において、長さ２をもつＯＣＣの代わりに、長さ４をもつＯＣＣをレガシーＤＭ  ＲＳ１００２および付加的なＤＭ  ＲＳ１００４に使用して、マルチユーザＭＩＭＯおよびアップリンクのマルチポイント協調伝送（ＣｏＭＰ）をより良くサポートするための直交参照信号の数を増やすことができる。長さ４をもつＯＣＣが使用されているが、下位互換性は、同じＯＣＣがレガシーＤＭ  ＲＳ１００２に使用される限り維持できる。図１１は、長さ４をもつＯＣＣマッピングを用いた例示的なＵＬ  ＤＭ  ＲＳ構造を示している。長さ２をもつＯＣＣは、長さ４をもつＯＣＣのサブセットであるので、このサブセットをレガシーＤＭ  ＲＳに使用して下位互換性を維持する。
【００９０】
表４は、以前のＬＴＥリリースで行われるようなレガシーＤＭ  ＲＳの長さ２をもつＯＣＣマッピングが維持された、例示的な長さ４をもつＯＣＣマッピングを示している。付加的なＤＭ  ＲＳ１００４は、同じ時間および周波数リソースに同時スケジュールされる時にはレガシーＷＴＲＵに対して直交でないので、長さ４をもつＯＣＣは、マルチユーザＭＩＭＯ伝送のレガシーＷＴＲＵに使用できない。
【００９１】
【表１】
0006286519.tif 000007
【００９２】
レガシーＤＭ  ＲＳ構造が維持されているので、マルチユーザＭＩＭＯのレガシーＷＴＲＵの性能も維持できる。一方、図１０のＤＭ  ＲＳパターンを使用するＷＴＲＵは、ＤＭ  ＲＳタイプに従って異なるチャネル推定の精度を有し得る。例えば、レガシーＤＭ  ＲＳのチャネル推定は、付加的なＤＭ  ＲＳが他の同時スケジュールされたＷＴＲＵのＰＵＳＣＨシンボルに対して直交でないので、付加的なＤＭ  ＲＳのチャネル推定よりも良い。この場合、ｅノードＢは、より大きい電力を付加的なＤＭ  ＲＳに割り振ることができ、そしてレガシーＤＭ  ＲＳと付加的なＤＭ  ＲＳとの電力差を例えば、上位層シグナリングによってＷＴＲＵに通知できる。
【００９３】
付加的なＤＭ  ＲＳを導入したため、参照信号のオーバーヘッドは、以前のＬＴＥリリースに比べて２倍になる。これは、ＷＴＲＵスループットの性能損失を招く恐れがある。参照信号のオーバーヘッドを削減するために、図１２に示しているように、付加的なＤＭ  ＲＳのインターレース割り当てを使用できる。
【００９４】
図１０から図１２において、付加的なＤＭ  ＲＳが各スロット内の１番目のＳＣ−ＦＤＭＡシンボルに位置していることを示していても、付加的なＤＭ  ＲＳの時間位置は、各スロット内の他のＳＣ−ＦＤＭＡシンボル（例えば、６番目または７番目のＳＣ−ＦＤＭＡシンボル）に変更されてよいことに留意されたい。さらに、付加的なＤＭ  ＲＳの位置は、各スロット内で変えることができる。
【００９５】
別の実施形態において、ＤＭ  ＲＳパターンは、異なるように設計できる。図１３Ａおよび図１３Ｂは、一実施形態に従って、２つの例示的なＤＭ  ＲＳパターンを示している。例として図１３Ａおよび図１３Ｂに示しているように、ＤＭ  ＲＳオーバーヘッドをレガシーＤＭ  ＲＳパターンと同じように維持するために、周波数領域においてインターレースされたＤＭ  ＲＳ１３０２のパターンを、４つのＳＣ−ＦＤＭＡシンボルに使用できる。
【００９６】
図１４Ａおよび図１４Ｂは、周波数領域において異なるシフト（この例においてｎ−ｓｈｉｆｔ＝０または１）を有するＤＭ  ＲＳ１４０２の異なるパターンをそれぞれ示している。ＤＭ  ＲＳ１４０２を包含するＳＣ−ＦＤＭＡシンボルのデータＲＥは、図１４Ａおよび図１４Ｂに示しているように、ミュートされ得る。ミューティングをデフォルトとして使用または上位層シグナリングによって構成できる。ｎ−シフトを使用してミューティングすることによって、直交ＤＭ  ＲＳを用いてより多数のＷＴＲＵを同時スケジュールできるように、ＤＭ  ＲＳ容量を（例えば、２倍に）増加できる。さらに、異なるセルに位置している複数のＷＴＲＵ間の直交性をサポートできる。
【００９７】
ＤＭ  ＲＳは、ＳＣ−ＦＤＭＡシンボルのインターレースされたパターンに割り振られるので、ＤＭ  ＲＳのベースシーケンスの使用可能な数の循環シフトは、同じチャネル遅延拡散に基づいて減らすことができる。直交ＤＭ  ＲＳポートの数は、長さ４をもつＯＣＣマッピングを使用することによって増加できる。図１５は、ＤＭ  ＲＳ１５０２の長さ４をもつＯＣＣマッピングの例を示している。レイヤは、ＯＣＣの組み合わせによる循環シフトで表示できる。
【００９８】
ＤＭ  ＲＳリソースは、ＰＤＣＣＨ経由で動的に割り振ることができる。３つのパラメータ（循環シフト、ＯＣＣ、およびｎ−シフト）を使用して、ＤＭ  ＲＳリソースを割り振ることができる。表５は、ＤＭ  ＲＳリソースマッピングの例を示している。
【００９９】
【表２】
0006286519.tif 000008
【０１００】
ＤＭ  ＲＳ割り当ての３つのパラメータのうち、３つのパラメータのサブセットをシステムに使用できる。あるいは、パラメータ（例えば、循環シフトおよびＯＣＣ）のサブセットは、ＰＤＣＣＨによって表示でき、そして他のパラメータ（例えば、ｎ−シフト）は、上位層シグナリングによって表示できる。
【０１０１】
ＷＴＲＵが同じサブフレームによってＰＵＣＣＨおよびＰＵＳＣＨを送信する必要がある場合、ＰＵＣＣＨ上のアップリンク制御情報（ＵＣＩ）は、ＳＣ−ＦＤＭＡ伝送のキュービックメトリック（ＣＭ）が増加しないようにするために、ＰＵＳＣＨ上でピギーバックできる。ＵＣＩは、ハイブリッド自動再送要求（ＨＡＲＱ）の肯定応答／否定応答（ＡＣＫ／ＮＡＣＫ）、チャネル品質インジケータ（ＣＱＩ）、プリコーディング行列インジケータ（ＰＭＩ）、およびランクインジケータ（ＲＩ）を含む。ＵＣＩのうち、ＨＡＲＱ  ＡＣＫ／ＮＡＣＫは、より高いチャネル推定の精度を提供できる時間／周波数リソースに多重化できるように、最も高い優先度を有することができる。ＲＩは、ＲＩの誤検知がＣＱＩ／ＰＭＩ情報の誤った解釈を招く恐れがあるので、２番目に最も高い優先度を有することができる。ＰＭＩ／ＣＱＩを以前のリリースと同じやり方で多重化できる。ＵＣＩをそれらの優先度に従って多重化できる。図１６では、例示的なＵＣＩの多重化をそれらの優先度に従って示している。
【０１０２】
（実施形態）
１、ＭＩＭＯ伝送のための方法。  
２、ｅノードＢからダウンリンク伝送を受信するＷＴＲＵを備える方法であって、前記ダウンリンク伝送は、マルチユーザＭＩＭＯのペアである複数のＷＴＲＵに送信される複数の空間レイヤを含むことを特徴とする実施形態１に記載の方法。  
３、対応するＷＴＲＵ固有の参照信号に基づいて前記ダウンリンク伝送を復号する前記ＷＴＲＵを備えることを特徴とする実施形態２に記載の方法。  
４、異なるサブグループのアンテナポートのＷＴＲＵ固有の参照信号が周波数領域における異なるサブキャリアに多重化され、そして同じサブグループのアンテナポートの前記ＷＴＲＵ固有の参照信号が時間領域における直交カバーコードに適用されるように、前記複数のＷＴＲＵのＷＴＲＵ固有の参照信号が前記ダウンリンク伝送に多重化されることを特徴とする実施形態３に記載の方法。  
５、１つのサブグループのアンテナポートで前記ＷＴＲＵ固有の参照信号を伝送するために使用されるリソース要素は、別のサブグループのアンテナポートでミュートされることを特徴とする実施形態３乃至４のいずれかに記載の方法。  
６、前記ＷＴＲＵは、前記ミュートされたリソース要素ではどのデータも前記ＷＴＲＵに送信されないと仮定した上で前記ダウンリンク伝送を復号することを特徴とする実施形態５に記載の方法。  
７、４つのアンテナポートを使用して８（８つの）レイヤまでサポートすることを特徴とする実施形態２乃至６のいずれかに記載の方法。  
８、前記ＷＴＲＵは、前記ＷＴＲＵの空間相関に基づいてマルチユーザＭＩＭＯのペアにされることを特徴とする実施形態２乃至７のいずれかに記載の方法。  
９、前記ＷＴＲＵに割り当てられる帯域幅は、マルチユーザＭＩＭＯのペアであるＷＴＲＵに割り当てられる帯域幅とは異なることを特徴とする実施形態２乃至８のいずれかに記載の方法。  
１０、前記ＷＴＲＵは、マルチユーザＭＩＭＯのペアであるＷＴＲＵの最大帯域幅に関する情報を受信することを特徴とする実施形態９に記載の方法。  
１１、前記ＷＴＲＵは、マルチユーザＭＩＭＯのペアであるＷＴＲＵに割り当てられる帯域幅が異なるという条件でスクランブルシーケンスを前記ＷＴＲＵ固有の参照信号に適用しないことを特徴とする実施形態９乃至１０のいずれかに記載の方法。  
１２、復調参照信号を生成するＷＴＲＵを備えることを特徴とする実施形態１に記載の方法。  
１３、空間多重化のためにペイロードのプリコーディングを実行する前記ＷＴＲＵを備えることを特徴とする実施形態１２に記載の方法。  
１４、割り振られた時間−周波数リソースに前記復調参照信号および前記ペイロードを送信する前記ＷＴＲＵを備えることを特徴とする実施形態１３に記載の方法。  
１５、前記復調参照信号は、空間多重化のためのプリコーディングを用いずに送信されることを特徴とする実施形態１４に記載の方法。  
１６、前記復調参照信号に割り振られるリソースブロックの数は、前記ペイロードに割り振られるリソースブロックの数よりも多いことを特徴とする実施形態１３乃至１５のいずれかに記載の方法。  
１７、直交カバーコードをサブフレームの２つのスロットにわたって前記復調参照信号に適用する前記ＷＴＲＵをさらに備えることを特徴とする実施形態１３乃至１６のいずれかに記載の方法。  
１８、復調参照信号を生成するＷＴＲＵを備えることを特徴とする実施形態１に記載の方法。  
１９、割り振られた時間−周波数リソースに前記復調参照信号およびペイロードを送信する前記ＷＴＲＵを備えることを特徴とする実施形態１８に記載の方法。  
２０、前記復調参照信号に割り振られるリソースブロックの数は、前記ペイロードに割り振られるリソースブロックの数よりも多いことを特徴とする実施形態１９に記載の方法。  
２１、前記復調参照信号に割り振られるリソースブロックの前記数は、マルチユーザＭＩＭＯのペアであるＷＴＲＵに割り振られるリソースブロックの最大数と同じであることを特徴とする実施形態１９乃至２０のいずれかに記載の方法。  
２２、ｅノードＢからダウンリンク伝送を受信するように構成されたレシーバを備えることを特徴とするＷＴＲＵ。  
２３、前記ダウンリンク伝送は、マルチユーザＭＩＭＯのペアである複数のＷＴＲＵに送信される複数の空間レイヤを含むことを特徴とする実施形態２２に記載のＷＴＲＵ。  
２４、対応するＷＴＲＵ固有の参照信号に基づいて前記ダウンリンク伝送を復号するように構成されたプロセッサを備えることを特徴とする実施形態２２乃至２３のいずれかに記載のＷＴＲＵ。  
２５、異なるサブグループのアンテナポートのＷＴＲＵ固有の参照信号が周波数領域における異なるサブキャリアに多重化され、そして前記同じサブグループのアンテナポートの前記ＷＴＲＵ固有の参照信号が時間領域における直交カバーコードに適用されるように、前記複数のＷＴＲＵのＷＴＲＵ固有の参照信号が前記ダウンリンク伝送に多重化されることを特徴とする実施形態２４に記載のＷＴＲＵ。  
２６、１つのサブグループのアンテナポートで前記ＷＴＲＵ固有の参照信号を伝送するために使用されるリソース要素は、別のサブグループのアンテナポートでミュートされることを特徴とする実施形態２４乃至２５のいずれかに記載のＷＴＲＵ。  
２７、前記プロセッサは、前記ミュートされたリソース要素ではどのデータも前記ＷＴＲＵに送信されないと仮定した上で前記ダウンリンク伝送を復号するように構成されることを特徴とする実施形態２４乃至２６のいずれかに記載のＷＴＲＵ。  
２８、４つのアンテナポートを使用して８（８つの）レイヤまでサポートすることを特徴とする実施形態２３乃至２７のいずれかに記載のＷＴＲＵ。  
２９、前記ＷＴＲＵは、前記ＷＴＲＵの空間相関に基づいてマルチユーザＭＩＭＯのペアにされることを特徴とする実施形態２３乃至２８のいずれかに記載のＷＴＲＵ。  
３０、前記ＷＴＲＵに割り当てられる帯域幅は、マルチユーザＭＩＭＯのペアであるＷＴＲＵに割り当てられる帯域幅とは異なることを特徴とする実施形態２３乃至２９のいずれかに記載のＷＴＲＵ。  
３１、前記プロセッサは、マルチユーザＭＩＭＯのペアであるＷＴＲＵの最大帯域幅に関する情報を受信するように構成されることを特徴とする実施形態３０に記載のＷＴＲＵ。  
３２、前記プロセッサは、マルチユーザＭＩＭＯのペアであるＷＴＲＵに割り当てられる帯域幅が異なるという条件でスクランブルシーケンスを前記ＷＴＲＵ固有の参照信号に適用しないように構成されることを特徴とする実施形態３０乃至３１のいずれかに記載のＷＴＲＵ。
【０１０３】
本特徴および要素を特定の組み合わせにおいて上述したが、各特徴または要素を単独で、または他の特徴および要素との任意の組み合わせにおいて使用することができることが当業者には認識されよう。さらに、本明細書で説明した方法は、コンピュータまたはプロセッサによって実行されるコンピュータ可読媒体に組み込まれるコンピュータプログラム、ソフトウェア、またはファームウェアに実装できる。コンピュータ可読媒体の例は、（有線または無線接続経由で送信される）電子信号およびコンピュータ可読記憶媒体を含む。コンピュータ可読記憶媒体の例は、リードオンリーメモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、およびＣＤ−ＲＯＭおよびデジタル多用途ディスク（ＤＶＤ）などの光媒体を含むが、これらに限らない。ソフトウェアと連動するプロセッサを使用して、ＷＴＲＵ、ＵＥ、端末機、基地局、ＲＮＣ、または任意のホストコンピュータで使用するための無線周波数トランシーバを実装することができる。
【図１Ａ】
0006286519.tif 000009
【図１Ｂ】
0006286519.tif 000010
【図１Ｃ】
0006286519.tif 000011
【図２】
0006286519.tif 000012
【図３】
0006286519.tif 000013
【図４】
0006286519.tif 000014
【図５】
0006286519.tif 000015
【図６Ａ】
0006286519.tif 000016
【図６Ｂ】
0006286519.tif 000017
【図７Ａ】
0006286519.tif 000018
【図７Ｂ】
0006286519.tif 000019
【図８】
0006286519.tif 000020
【図９】
0006286519.tif 000021
【図１０】
0006286519.tif 000022
【図１１】
0006286519.tif 000023
【図１２】
0006286519.tif 000024
【図１３Ａ】
0006286519.tif 000025
【図１３Ｂ】
0006286519.tif 000026
【図１４Ａ】
0006286519.tif 000027
【図１４Ｂ】
0006286519.tif 000028
【図１５】
0006286519.tif 000029
【図１６】
0006286519.tif 000030
【図１７】
0006286519.tif 000031